(57)【要約】【課題】ファクシミリを使用して所定の地域をターゲットとした各種情報提供サービスを行うことができる、情報提供システム、情報提供方法及びプログラムを提供する。【解決手段】情報提供システム（あるいは、情報提供サーバ１２）は、個人又は法人の、氏名又は名称と、所在地を示す緯度及び経度の位置情報と、ファクシミリ番号と、を少なくとも関連付けたデータベースＤＢを記憶する記憶部１２３と、個人又は法人を検索する検索対象地域を入力する入力部１２１と、入力された検索対象地域内に存在する個人又は法人を、記憶部１２３のデータベースから検索し抽出する抽出部１２４と、抽出部１２４で抽出された個人又は法人に対応するファクシミリ番号を出力する出力部１２５と、を備える。【選択図】図２
2018041225.tif 000002
【特許請求の範囲】
【請求項１】
個人又は法人の、氏名又は名称と、所在地を示す緯度及び経度の位置情報と、ファクシミリ番号と、を少なくとも関連付けたデータベースを記憶する記憶部と、
前記個人又は法人を検索する検索対象地域を入力する入力部と、
入力された検索対象地域内に存在する前記個人又は法人を、前記記憶部のデータベースから検索し抽出する抽出部と、
前記抽出部で抽出された前記個人又は法人に対応する前記ファクシミリ番号を出力する出力部と、を備える
ことを特徴とする情報提供システム。
【請求項２】
前記入力部は、所定の地点情報と、前記地点を中心とする距離情報とを入力し、前記検索対象地域を円形で指定する
ことを特徴とする請求項１に記載の情報提供システム。
【請求項３】
前記入力部は、検索条件として、前記個人又は法人の固有情報が入力可能である
ことを特徴とする請求項１又は２に記載の情報提供システム。
【請求項４】
前記出力部は、前記ファクシミリ番号を、前記個人又は法人の前記氏名又は名称とともに出力する
ことを特徴とする請求項１から３までのいずれか１項に記載の情報提供システム。
【請求項５】
前記情報提供システムは、ファクシミリ送信機を備え、
前記ファクシミリ送信機は、前記出力部で出力された前記ファクシミリ番号に基づいて、所定の原稿を送信する
ことを特徴とする請求項１から４までのいずれか１項に記載の情報提供システム。
【請求項６】
前記情報提供システムは、通信ネットワークに接続されており、
前記入力部は、前記通信ネットワークに接続された端末装置である
ことを特徴とする請求項１から５までのいずれか１項に記載の情報提供システム。
【請求項７】
個人又は法人のファクシミリ番号を提供する情報提供方法であって、
前記個人又は法人の、氏名又は名称と、所在地を示す緯度及び経度の位置情報と、ファクシミリ番号と、を少なくとも関連付けたデータベースを記憶するステップと、
前記個人又は法人を検索する検索対象地域を入力するステップと、
入力された検索対象地域内に存在する前記個人又は法人を、前記データベースから検索し抽出するステップと、
前記抽出された前記個人又は法人に対応する前記ファクシミリ番号を出力するステップと、を含むことを特徴とする情報提供方法。
【請求項８】
コンピュータに、
入力された個人又は法人を検索する検索対象地域を取り込む処理と、
前記入力された検索対象地域内に存在する前記個人又は法人を、前記個人又は法人の、氏名又は名称と、所在地を示す緯度及び経度の位置情報と、ファクシミリ番号と、を少なくとも関連付けたデータベースから検索し抽出する処理と、
前記抽出された前記個人又は法人に対応する前記ファクシミリ番号を出力する処理と、を実行させるプログラム。
【発明の詳細な説明】
【技術分野】
【０００１】
本発明は、情報提供システム、情報提供方法及びプログラムに関する。
【背景技術】
【０００２】
近年、商品の販売促進や顧客の囲い込みのために、ポスティング、ダイレクトメール（ＤＭ）、電子メールやインターネット（Ｗｅｂ）を使った情報提供サービスが頻繁に行われている。
【０００３】
この種の情報提供サービスについて、例えば、特許文献１には、一括管理された顧客データに基づき無駄なく、効率的で、かつ誤りのないＤＭを作成するＤＭ作成システムが記載されており、また、特許文献２には、サービス要求のあったユーザに対し、ユーザの嗜好等、ユーザの条件にあったサービス提供を行うサービス提供システムが記載されている。
【０００４】
ところで、ファクシミリ（ＦＡＸ）送信による情報提供サービスも行われている。これは、ポスティング等のできるマンションやビルが減少したこと、ＦＡＸの送信コストが安くなったこと、ＦＡＸはポスティングやＤＭに比べて確実に届くこと、個人宅の電話機にＦＡＸ機能が付属すること等に起因し、ＢｔｏＢだけでなく、ＢｔｏＣにも対応できるようになっている。
【０００５】
このＦＡＸ送信による情報提供サービスでは、毎月更新されるデータベースから所定の条件で絞り込んだ法人のＦＡＸ番号リストを、ユーザに購入又は一時レンタルしてもらい、さらに、所定の情報を一斉送信することもできるようになっている。
【先行技術文献】
【特許文献】
【０００６】
【特許文献１】特開平０８−３１５０２４号公報
【特許文献２】特開２００１−３３７９８２号公報
【発明の概要】
【発明が解決しようとする課題】
【０００７】
しかしながら、従来の情報提供サービスによれば、住所や業種で法人のＦＡＸ番号を絞り込んでいたため、ある地点から１ｋｍ圏内に存在する法人に対してのみＦＡＸの一斉送信を行う等、所定の地域をターゲットとした各種情報の提供を行うことができなかった。
【０００８】
そこで、本発明は、上記した課題を解決するためになされたものであり、ファクシミリを使用して所定の地域をターゲットとした各種情報提供サービスを行うことができる、情報提供システム、情報提供方法及びプログラムを提供することを目的とする。
【課題を解決するための手段】
【０００９】
（１）本発明の実施形態に係る１つの態様は、個人又は法人の、氏名又は名称と、所在地を示す緯度及び経度の位置情報と、ファクシミリ番号と、を少なくとも関連付けたデータベースを記憶する記憶部と、前記個人又は法人を検索する検索対象地域を入力する入力部と、入力された検索対象地域内に存在する前記個人又は法人を、前記記憶部のデータベースから検索し抽出する抽出部と、前記抽出部で抽出された前記個人又は法人に対応する前記ファクシミリ番号を出力する出力部と、を備えることを特徴とする情報提供システムである。
（２）上記（１）の態様において、前記入力部は、所定の地点情報と、前記地点を中心とする距離情報とを入力し、前記検索対象地域を円形で指定してもよい。
（３）上記（１）又は（２）の態様において、前記入力部は、検索条件として、前記個人又は法人の固有情報が入力可能であってもよい。
（４）上記（１）から（３）のいずれか１つの態様において、前記出力部は、前記ファクシミリ番号を、前記個人又は法人の前記氏名又は名称とともに出力してもよい。
（５）上記（１）から（４）のいずれか１つの態様において、前記情報提供システムは、ファクシミリ送信機を備え、前記ファクシミリ送信機は、前記出力部で出力された前記ファクシミリ番号に基づいて、所定の原稿を送信してもよい。
（６）上記（１）から（５）のいずれか１つの態様において、前記情報提供システムは、通信ネットワークに接続されており、前記入力部は、前記通信ネットワークに接続された端末装置である。
（７）本発明の実施形態に係る別の１つの態様は、個人又は法人のファクシミリ番号を提供する情報提供方法であって、前記個人又は法人の、氏名又は名称と、所在地を示す緯度及び経度の位置情報と、ファクシミリ番号と、を少なくとも関連付けたデータベースを記憶するステップと、前記個人又は法人を検索する検索対象地域を入力するステップと、入力された検索対象地域内に存在する前記個人又は法人を、前記データベースから検索し抽出するステップと、前記抽出された前記個人又は法人に対応する前記ファクシミリ番号を出力するステップと、を含むことを特徴とする情報提供方法である。
（８）本発明の実施形態に係る更に別の１つの態様は、コンピュータに、入力された個人又は法人を検索する検索対象地域を取り込む処理と、前記入力された検索対象地域内に存在する前記個人又は法人を、前記個人又は法人の、氏名又は名称と、所在地を示す緯度及び経度の位置情報と、ファクシミリ番号と、を少なくとも関連付けたデータベースから検索し抽出する処理と、前記抽出された前記個人又は法人に対応する前記ファクシミリ番号を出力する処理と、を実行させるプログラムである。
【発明の効果】
【００１０】
本発明によれば、ファクシミリを使用して所定の地域をターゲットとした各種情報提供サービスを行うことができる、情報提供システム、情報提供方法及びプログラムを提供することができる。
【図面の簡単な説明】
【００１１】
【図１】本発明の実施形態に係る情報提供システムの構成図である。
【図２】情報提供サーバの構成を示すブロック図である。
【図３】記憶部のデータベース構造の一例を示す図である。
【図４】情報提供サーバの処理動作を示すフローチャートである。
【図５】検索条件設定画面の一例を示す図である。
【図６】検索出力画面の一例を示す図である。
【発明を実施するための形態】
【００１２】
以下、本発明の実施形態について図面を参照しながら詳細に説明する。なお、実施形態の説明の全体を通して同じ要素には同じ番号又は符号を付している。
【００１３】
（情報提供システムの構成）
図１は、本発明の実施形態に係る情報提供システム１０の構成図である。
図１に示すように、情報提供システム１０は、情報提供サーバ１２と、携帯情報機器１５，パソコン１６ａ，パソコン１７ａ等の端末装置（以降、「端末装置１５，１６ａ，１７ａ」という。）とを含み構成される。
【００１４】
（情報提供サーバ）
図２は、情報提供サーバ１２の構成を示すブロック図である。図３は、記憶部のデータベース構造の一例を示す図である。
【００１５】
図２に示すように、情報提供サーバ１２は、入力部１２１と、処理部１２２と、記憶部１２３と、抽出部１２４と、出力部１２５と、通信インタフェース部１２６とを含み、これらは、システムバス経由で相互に接続されている。なお、システムバスにはファクシミリ送信機（以降、「ＦＡＸ送信機」という。）１２０が接続されてもよい。
【００１６】
この情報提供サーバ１２は、個人又は法人（以降、単に「法人」という。）の、氏名又は名称（以降、単に「名称」という。）と、所在地を示す緯度Ｌａ及び経度Ｌｇの位置情報と、ファクシミリ番号（以降、「ＦＡＸ番号」という。）と、を少なくとも関連付けたデータベースＤＢを用いて、ユーザからの原稿（以降、「ＦＡＸ原稿」という。）を送信すべき法人を絞り込み、対応するＦＡＸ番号を出力するＦＡＸ番号出力サービスを提供するものである。
【００１７】
入力部１２１は、ユーザの端末装置１５，１６ａ，１７ａで入力された検索条件等の内容が、通信インタフェース部１２６を介して入力される機能を有する。
【００１８】
処理部１２２は、入力部１２１、記憶部１２３、抽出部１２４、出力部１２５及び通信インタフェース部１２６を統括して制御し、また、必要に応じてＦＡＸ送信機１２０も制御する機能を有する。
【００１９】
また、処理部１２２は、記憶部１２３のプログラム領域に割り当てられ記憶されたプログラムを逐次読み出し、情報提供サーバ１２が、入力された検索対象地域を取り込む処理と、入力された検索対象地域内に存在する法人を、データベースＤＢから検索し抽出する処理と、抽出された法人に対応するＦＡＸ番号を出力する処理とを実行する。なお、詳細な処理内容及びフローは、改めて説明する。
【００２０】
記憶部１２３には、半導体あるいは光や磁気等の記憶素子が実装されており、これら記憶素子に、プログラム領域とデータ領域とが割り付けられ、データ領域にはデータベースＤＢが割り付けられ記憶されている。図３に、そのデータベースＤＢのデータ構造の一例が示されている。
【００２１】
図３に示すように、データベースＤＢは、会社名（名称）、郵便番号、住所、電話番号、ＦＡＸ番号、緯度、経度、業種等の固有情報をデータ項目として有し、例えば、会社名「地下鉄  横浜駅」は、郵便番号「２２０−＊＊＊＊」、住所「神奈川県横浜市西区南幸＊＊＊」、電話番号「０４５−３１４−＊＊＊＊」、ＦＡＸ番号「０４５―３１４−＊＊＊＊」、緯度Ｌａ「３５．４６２４」、経度Ｌｇ「１３９．６２３」、業種「鉄道」として登録され、記憶されている。
【００２２】
抽出部１２４は、入力部１２１に入力された検索条件に合致する法人を、記憶部１２３のデータベースＤＢから検索し抽出する機能を有する。
【００２３】
出力部１２５は、抽出部１２４で抽出された法人に対応するＦＡＸ番号をリスト化してＦＡＸ番号リストのデータファイルとして出力する機能を有する。
【００２４】
通信インタフェース部１２６は、端末装置１５，１６ａ，１７ａとのインタフェースの機能を有する。情報提供サーバ１２は、ＩＰ網１３の通信ネットワークに接続されるため、通信インタフェース部１２６は、ＴＣＰ／ＩＰに従う通信を行う通信アダプタが用いられる。
【００２５】
ＦＡＸ送信機１２０は、抽出部１２４で抽出及び出力されたＦＡＸ番号リストに基づいて、所定のＦＡＸ番号を有するＦＡＸ受信機１８ａ，１８ｂ・・・にＦＡＸ原稿を送信する。なお、ユーザが端末装置１６ａでＦＡＸ番号出力サービスの提供を希望した場合に、自身のＦＡＸ受信機１６ｂや、別のユーザのＦＡＸ受信機１７ｂのＦＡＸ番号がリストに含まれる可能性はあり得る。
【００２６】
（端末装置）
端末装置１５，１６ａ，１７ａは、ＦＡＸ番号出力サービスの提供を希望するユーザが情報提供サーバ１２に接続するために使用するもので、スマートフォン等の携帯情報機器１５、法人におけるパソコン１６ａ、個人が所有するパソコン１７ａなどが例示される。なお、携帯情報機器１５は、移動体通信回線網１４を介して、パソコン１６ａは、図示省略した法人のイントラネットを介して、パソコン１７ａは、プロバイダを介して、それぞれＩＰ網１３に接続されている。
【００２７】
そして、ユーザは、端末装置１５，１６ａ，１７ａを情報提供サーバ１２に接続し、入力操作を行うことで、ＦＡＸ原稿を送信すべき法人を検索条件で絞り込むことができるようになっている。ユーザが入力する検索条件は、例えば、法人の固有情報や検索対象地域である。
【００２８】
検索条件が法人の固有情報の場合は、業種等が選択されることになり、検索条件が検索対象地域の場合は、所定の地点Ｐｏｓの情報と、その地点Ｐｏｓを中心とする距離情報ｒとで指定される圏域又は行政単位が選択されることになる。また、法人の固有情報と、検索対象地域とを組み合わせた検索条件とすることも可能である。
【００２９】
（情報提供サーバの処理動作）
以下、本実施形態に係る情報提供システム１０の中核となる情報提供サーバ１２の処理動作について、図４から図６を参照しながら詳細に説明する。図４は、情報提供サーバ１２の処理動作を示すフローチャートである。図５は、検索条件設定画面の一例を示す図である。図６は、検索出力画面の一例を示す図である。
【００３０】
まず、処理部１２２は、通信インタフェース部１２６を経由して端末装置１５，１６ａ，１７ａの表示画面に、例えば、図５（ａ）に示すような、都道府県等の行政単位による検索条件設定画面と、図５（ｂ）に示すような、地点Ｐｏｓを中心とする距離情報ｒで指定される圏域による検索条件設定画面とを表示し、ユーザに検索地域を選択させる（ステップＳ１０１）。
【００３１】
図５（ａ）での行政単位の選択は、ユーザがチェックボックスにチェックを付与することにより行われる。ただし、行政単位は、例示した都道府県単位でも、市町村単位でも、更に小さな地区名単位等であってもよい。
【００３２】
図５（ｂ）での圏域の選択は、地点Ｐｏｓに関しては、ユーザが入力ボックスに住所、又は、緯度Ｌａ及び経度Ｌｇを直接記入し、距離情報ｒに関しては、例えば、３００ｍ〜３ｋｍの範囲のチェックボックスにチェックを付与すること行われる。なお、地点Ｐｏｓの選択は、携帯情報機器１５のＧＰＳ機能を利用して行ってもよく、地図を表示させて、場所を指示して行ってもよい。
【００３３】
ステップＳ１０１で“行政単位”が選択されると、処理部１２２は、指定された行政単位の情報を入力部１２１に取り込んで、抽出部１２４に引き渡す（ステップＳ１０２）。
【００３４】
一方、ステップＳ１０１で“圏域”が選択されると、処理部１２２は、指定された地点Ｐｏｓと、距離情報ｒと、を入力部１２１に取り込んで、抽出部１２４に引き渡す（ステップＳ１０３）。
【００３５】
つづいて、処理部１２２は、通信インタフェース部１２６経由で端末装置１５，１６ａ，１７ａの表示画面に、例えば、図５（ｃ）に示すような、業種ごとに定義された大分類、及び、必要に応じて定義される詳細な中分類による検索条件設定画面を表示し、ユーザに検索業種を選択させる（ステップＳ１０４）。
【００３６】
ステップＳ１０４で、“ＹＥＳ”つまり業種が選択されると、処理部１２２は、ユーザが選択した業種を入力部１２１に取り込んで、抽出部１２４に引き渡す（ステップＳ１０５）。
【００３７】
ステップＳ１０４で、“ＮＯ”つまり業種が選択されなかった後か、ステップＳ１０５の処理の完了後に、「この条件で検索する」等と記載された検索ボタンを、ユーザが押すと（ステップＳ１０６“ＹＥＳ”）、抽出部１２４は、ステップＳ１０２、Ｓ１０３、Ｓ１０５で選択された検索条件に基づいて、記憶部１２３のデータベースＤＢの検索を開始する（ステップＳ１０７）。
【００３８】
そして、抽出部１２４は、検索条件に合致する法人を絞り込んで、対応するＦＡＸ番号を抽出する（ステップＳ１０８）。
【００３９】
ステップＳ１０８で、ＦＡＸ番号の抽出が完了すると、処理部１２２は、出力部１２５を制御し、出力部１２５は、抽出部１２４により抽出されたＦＡＸ番号をＦＡＸ番号リストとして出力する（ステップＳ１０９）。このとき、図６に示すように、ユーザの端末装置１５，１６ａ，１７ａの表示画面に、抽出状況を表示するように構成してもよい。
【００４０】
その後、処理部１２２は、ＦＡＸ送信機１２０を起動する。そして、ＦＡＸ送信機１２０は、出力されたＦＡＸ番号リストに基づいて、所定のＦＡＸ番号が割り当てらたれＦＡＸ受信機１８ａ，１８ｂ・・・に対しＦＡＸ原稿を、指定された日時に一斉送信する（ステップＳ１１０）。なお、このＦＡＸ送信機１２０から送信されるＦＡＸ原稿を受信するＦＡＸ受信機１８ａ，１８ｂ・・・は、プリンタを、スキャナやＦＡＸとして使用できる複合機であってもよい。
【００４１】
このようにして、情報提供サーバ１２の処理動作が一応終了する。その後、ＦＡＸ送信機１２０によるＦＡＸ一斉送信で、ＦＡＸ回線の解約等で送信できなかったＦＡＸ番号に対応する法人は、データベースＤＢから自動的に削除されたり、ＦＡＸ番号が修正されたりして、データベースＤＢが更新される。
【００４２】
ここで、検索地域に圏域を選択した場合に、データベースＤＢから合致する法人を抽出する処理動作について、補足説明する。
抽出部１２４は、地点Ｐｏｓの緯度Ｌａ及び経度Ｌｇを中心（ｘ，ｙ）とし、距離情報ｒを半径とする圏域に、所在地の緯度Ｌａ及び経度Ｌｇが所定の値（ａ，ｂ）である法人Ａが含まれるか否かを判断する必要がある。
【００４３】
抽出部１２４は、例えば、地点Ｐｏｓを東京都豊島区南大塚＊＊＊（Ｌａ＝ｘ，Ｌｇ＝ｙ）とすると、圏域は、円の方程式ｘ２＋ｙ２＝ｒ２に従い円形で指定されるから、この圏域内に地点Ｐｏｓ（ａ，ｂ）が存在する場合は、（ｘ−ａ）２＋（ｙ−ｂ）２≦ｒ２が成立することになる。
【００４４】
そこで、抽出部１２４は、上記の式を満たす（ａ，ｂ）を、データベースＤＢから検索し、対応する法人Ａ及びＦＡＸ番号を抽出する。
【００４５】
ただし、記憶部１２３のデータベースＤＢに記憶されている法人の所在地を示す緯度Ｌａ及び経度Ｌｇの情報は、秒単位であるため、選択された距離情報ｒの距離単位である１ｍに、緯度Ｌａ又は経度Ｌｇを対応させておく必要がある。１ｍを緯度Ｌａに換算すると、（３６０×３６００秒）÷（地球一周４万ｋｍ×１０００）＝０．０３２４秒／ｍとなるから、距離情報ｒは、０．０３２４秒／ｍで換算すればよい。
【００４６】
以上、説明したとおり、本実施形態に係る情報提供システム１０によれば、情報提供サーバ１２が、ユーザの端末装置１５，１６ａ，１７ａから入力された個人又は法人を検索する検索対象地域を取り込み、取り込まれた検索対象地域内に存在する個人又は法人を、氏名又は名称と、所在地を示す緯度Ｌａ及び経度Ｌｇの位置情報と、ファクシミリ番号と、を少なくとも関連付けた（記憶部１２３の）データベースＤＢから検索し抽出し、抽出された個人又は法人に対応するＦＡＸ番号を出力することにより、ＦＡＸ送信機１２０を使用した情報提供サービスを行うことができる。
【００４７】
情報提供システム１０は、地域にどのくらいの会社があるかを、緯度Ｌａ及び経度Ｌｇの位置情報を用いて計算し、出力することが可能になる。そのため、例えば、「環状８号線から１ｋｍ範囲内にある」法人及び個人に対してのみ広告を一斉配信するというように、地図上で指定した地点Ｐｏｓの近隣にのみピンポイントでＦＡＸ送信することができる。
【００４８】
また、気象や防災のようなビッグデータと連動することで、例えば、太陽光パネルの設置及び販売であれば、「日中、平均５時間以上太陽が当たるエリア」の法人及び個人に対してのみ案内のＦＡＸ送信し、あるいは、竜巻が発生する、竜巻の進路予測に基づくエリアに対してのみ警報をＦＡＸ送信する等、様々な用途に応用できる。
【００４９】
本実施形態に係る情報提供方法は、例えば、図３にそのデータ構造の一例を示すように、個人又は法人の、氏名又は名称と、所在地を示す緯度Ｌａ及び経度Ｌｇの位置情報と、ファクシミリ番号と、を少なくとも関連付けたデータベースＤＢを記憶するステップと、例えば、図４に示すように、個人又は法人を検索する検索対象地域を入力するステップ（Ｓ１０１〜Ｓ１０６）と、入力された検索対象地域内に存在する個人又は法人を、記憶部１２３のデータベースから検索し抽出するステップ（Ｓ１０７〜Ｓ１０８）と、抽出された個人又は法人に対応するＦＡＸ番号を出力するステップ（Ｓ１０９）と、を有することを特徴とする。
【００５０】
本実施形態に係る情報提供方法によれば、ＦＡＸを使用して所定の地域をターゲットとした各種情報提供サービスを行うことができる。
【００５１】
本実施形態に係るプログラムは、例えば、図１に示す情報提供サーバ１２（図２の処理部）のコンピュータにより処理され、実行される。そして、その処理は、例えば、図４に示すように、入力された個人又は法人を検索する検索対象地域を取り込む処理（ステップＳ１０１〜Ｓ１０６）と、入力された検索対象地域内に存在する個人又は法人を、個人又は法人の、氏名又は名称と、所在地を示す緯度Ｌａ及び経度Ｌｇの位置情報と、ファクシミリ番号と、を少なくとも関連付けたデータベースＤＢから検索し抽出する処理（Ｓ１０７〜Ｓ１０８）と、抽出された個人又は法人に対応するＦＡＸ番号を出力する処理（Ｓ１０９）と、を含む。
【００５２】
本実施形態に係るプログラムによれば、情報提供サーバ１２は、処理部１２２が記憶部１２３のプログラム領域に記憶されたプログラムを逐次読み出し実行することにより、ファクシミリを使用して所定の地域をターゲットとした各種情報提供サービスを行うことができる。
【００５３】
（変形例）
上記実施形態では、出力部１２５により出力されるＦＡＸ番号リストに基づいて、そのままＦＡＸ送信機１２０で一斉送信するように構成されたが、ＦＡＸ番号リストを、ユーザに販売又はレンタルし、ＦＡＸ番号リストのみを提供するサービスとすることも可能である。
【００５４】
また、地点Ｐｏｓを中心とする距離情報ｒの形状は、円形でなく、所定の地点Ｐｏｓを中心（重心）とする四角形や多角形であってもよい。
【００５５】
上記実施形態では、情報提供システム１０は、ユーザの端末装置１５，１６ａ，１７ａにより検索条件が設定され、ＩＰ網１３等の通信ネットワークを使用したクライアントサーバの形態であったが、個人又は法人の、氏名又は名称と、所在地を示す緯度Ｌａ及び経度Ｌｇの位置情報と、ファクシミリ番号と、を少なくとも関連付けたデータベースＤＢを準備できれば、パソコンによるスタンドアロンの形態であってもよい。
【００５６】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００５７】
１０・・・情報提供システム、１２・・・情報提供サーバ、１３・・・ＩＰ網（通信ネットワーク）、１４・・・移動体通信回線網、１５・・・携帯情報機器、１６ａ，１７ａ・・・パソコン、１６ｂ，１７ｂ，１８ａ，ｂ・・・ＦＡＸ受信機、１２０・・・ＦＡＸ送信機、１２１・・・入力部、１２２・・・処理部、１２３・・・記憶部、１２４・・・抽出部、１２５・・・出力部、１２６・・・通信インタフェース部、ＤＢ・・・データベース、Ｌａ・・・緯度、Ｌｇ・・・経度、Ｐｏｓ・・・地点、ｒ・・・距離情報
【図１】
2018041225.tif 000003
【図２】
2018041225.tif 000004
【図３】
2018041225.tif 000005
【図４】
2018041225.tif 000006
【図５】
2018041225.tif 000007
【図６】
2018041225.tif 000008
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
法人の名称と、所在地を示す緯度及び経度の位置情報と、ファクシミリ番号と、業種とを少なくとも関連付けたデータベースを記憶する記憶部と、
所定の原稿を送信すべき前記法人を検索する検索条件を入力する入力部と、
入力された前記検索条件に合致する前記法人を、前記記憶部のデータベースから検索し抽出する抽出部と、
前記抽出部で抽出された前記法人に対応する前記ファクシミリ番号を出力する出力部と、
前記出力部で出力された前記ファクシミリ番号に基づいて、前記原稿を送信するファクシミリ送信機と、を備える情報提供システムであって、
前記情報提供システムは、通信ネットワークに接続された情報提供サーバと、前記情報提供サーバに前記通信ネットワークを介して接続された端末装置と、を含み、
前記情報提供サーバは、
前記検索条件として、所定の地点情報と、前記地点を中心とする距離情報とを入力することで、検索対象地域を円形で指定できるように前記端末装置に表示し、
かつ、前記業種を選択できるように前記端末装置に表示するとともに、
前記端末装置で指定又は選択された前記検索条件を、前記入力部に取り込んで、前記抽出部に引き渡す処理を行い、
また、前記抽出部での抽出状況を前記端末装置の表示画面に表示し、
さらに、前記ファクシミリ送信機による一斉送信で、送信できなかった前記法人の前記ファクシミリ番号を、前記データベースから削除する処理を行う
ことを特徴とする情報提供システム。
【請求項２】
前記情報提供サーバは、前記検索条件としての前記業種を大分類及び中分類で選択できるように前記端末装置に表示する
ことを特徴とする請求項１に記載の情報提供システム。
【請求項３】
前記端末装置は、前記地点情報の入力に、前記端末装置のＧＰＳ機能を利用する
ことを特徴とする請求項１又は２に記載の情報提供システム。